(57)【要約】網フィルターセルフクリーニング装置とそれを装着したエアコンを提供する。壁掛け式のエアコンに設けられる網フィルターセルフクリーニング装置において、熱交換器の外側に設けられ、上網フィルター１１と前網フィルター１２を含んで、熱交換器を通した空気の中の埃を吸着することに用いられるエアコンの網フィルター１と、網フィルター１の外側に設けられ、それに着脱可能なブラシ２０を設けた、網フィルター１に付着した埃を掃除することに用いられる埃掃除ユニット２と、駆動モーター３１と伝動機構を含んで、埃掃除ユニット２を駆動して網フィルター１において左右に移動して埃を掃除させることに用いられる駆動装置３と、埃を集めると共に、着脱可能にエアコンに設けられ、箱内の埃を捨てるための集塵箱４と、網フィルター１の左側又は右側に設けられ、埃掃除ユニット２で落とした埃を集塵箱４に入れるための埃交換装置５とを備える。【選択図】図１
2010525286.tif 000002
【特許請求の範囲】
【請求項１】
壁掛け式のエアコンに設けられ、熱交換器の外側に設けられ、上網フィルターと前網フィルターを含んで、熱交換器を通した空気の中の埃を吸着することに用いられるエアコンの網フィルターと、エアコンの網フィルターの外側に設けられて、それに解体可能のブラシを設けて、エアコンの網フィルターに付着した埃を掃除することに用いられる埃掃除ユニットと、駆動モーターと伝動機構を含んで、埃掃除ユニットを駆動して網フィルターで左右に移動して埃を掃除することに用いられる駆動装置と、埃を置く箱で、分解可能にエアコンに設けられ、箱内の埃を掃除する集塵箱と、エアコン網フィルターの左側や右側に設けられて、埃掃除ユニットで落とした埃を集塵箱に入れる埃交換装置とを含むことを特徴とする網フィルターセルフクリーニング装置。
【請求項２】
前記埃掃除ユニットは「Ｌ」形の本体とスライド位置付け装置を含んで、本体が一体の上本体と前本体で構成されて、上本体と前本体がそれぞれ上網フィルターと前網フィルターの外側に設けられて、スライド位置付け装置が本体の両端部に設けられて、それぞれ上網フィルターの上側と前網フィルターの下側のスライドウェイに設けられて、スライド位置付け装置がスライドウェイに沿ってスライドするシーブと本体の脱落を防止する位置付けブロックを含むことを特徴とする請求項１に記載の網フィルターセルフクリーニング装置。
【請求項３】
前記上本体と前本体がそれぞれ室を設けて、ブラシが本体の外側から室に挿し込んで、本体の内側で網フィルターに貼り付けて、本体の対応室がブラシの脱落を防止する蓋を設けて、蓋の片側が本体の枢と接続し、ねじやバックルで固定されていることを特徴とする請求項１又は２に記載の網フィルターセルフクリーニング装置。
【請求項４】
前記駆動モーターがステップモーターで、上網フィルターと前網フィルターの接続場所の左端又は右端に設けられて、伝動機構が駆動モーターと接続している駆動軸、スライド自在に駆動軸に設けられ、駆動軸と一緒に回転するウォームギヤ、前記ウォーム・ギヤにかみ合ったラックで構成されていることを特徴とする請求項１に記載の網フィルターセルフクリーニング装置。
【請求項５】
前記駆動軸が多角柱体の構造とするが、ラックと平行する同時に上網フィルターと前網フィルターの接続部に位置して、ラックが平滑に上網フィルターと前網フィルターの間に位置し、駆動軸がラックの上方に位置して、ウォーム・ギヤの枢が「Ｌ」形の本体の曲がった内側に設けられ、ラックおよび／あるいは駆動軸の両端にストロークスイッチを設けていることを特徴とする請求項２又は４に記載の網フィルターセルフクリーニング装置。
【請求項６】
前記伝動機構が駆動モーターと接続して、雄ねじを形成した駆動軸と本体に設けられて雄ねじと螺合する雌ねじで構成されて、本体がスライド可能に駆動軸と平行するボルトに設けられていることを特徴とする請求項１に記載の網フィルターセルフクリーニング装置。
【請求項７】
前記埃交換装置が長方形の枠体で、枠体に網フィルター側の縁枢に平行して埃を吸着する毛ローラーを設け、前記毛ローラーが円柱体、半円柱体または楕円柱体の構造であり、リセット機構を設けて、スプリングやエキスパンダーでもよく、埃交換装置がそれぞれ上網フィルターと前網フィルターの左側や右側の開口溝に設けられ、開口溝の底部が下に傾いた埃通路で、前網フィルター側の開口溝の下に集塵箱を設け、内部が開口溝の底部と通じており、集塵箱が開口を持つ箱構造であり、かつ脱着可能に集塵箱の溝に設けられ、開口が開口溝の底部に通じていることを特徴とする請求項１に記載の網フィルターセルフクリーニング装置。
【請求項８】
前記毛ローラーの両端の枢にシフトブロックを設け、シフトブロックが網フィルターの逆方向に自由に回転し、網フィルターの方向に毛ローラーを一緒に回転するように動かし、シフトブロックにリセット機構を設け、リセット状態は対外方向が枠体の開口と同じとすることを特徴とする請求項７に記載の網フィルターセルフクリーニング装置。
【請求項９】
前記埃交換装置の枠体内に、毛ローラーの網フィルターに近づいた側に毛ローラーの枢に平行して奥に延伸する当て板を設けて、当て板もリセット機構を設け、前記毛ローラーに隣接する面にフェルトを設けて、二回目の埃の交換を行うことと、毛ローラーの別の側にその接線に沿って外に斜めに柔らかい当て板を設け、方向が網フィルターに離れていることを特徴とする請求項７に記載の網フィルターセルフクリーニング装置。
【請求項１０】
前記埃交換動作として、埃掃除ユニットのブラシが網フィルターに付着した埃を落として、掃除ユニットが埃交換装置に移動して、埃交換装置を経る時、シフトブロックが掃除ユニットに押されて枠体に入り、埃が順次に毛ローラーと柔らかい当て板に吸着されて止められ、埃交換装置を経た後に、シフトブロックがリセットして、掃除ユニットが逆方向に埃交換装置を経る時、埃交換装置の左右端の左右のシフトブロックの回転を動かして、毛ローラーが回転するように動かし、毛ローラーに止められた埃を埃通路に入れて、更に埃通路を介し、集塵箱に入ることと、掃除ユニットが埃交換装置を経た後に、毛ローラーがスプリングやエキスパンダーで回転してリセットして、毛ローラーに残った埃が再度当て板に掃除されて、毛ローラーと柔らかい当て板がリセットして枠体の開口を密封して、開口溝内の埃が出ることを防止することを特徴とする請求項１、７、８又は９に記載の網フィルターセルフクリーニング装置。
【請求項１１】
熱交換器の外側に設けられたエアコン網フィルターと、網フィルターの左下や右下に設けられた集塵箱と、網フィルターと集塵箱の外側に設けられたパネルを含んで、前記パネルが上部の固定パネルと下部に固定されて、右左に移動して、集塵箱を開けるのに便宜を図るスライドパネルに分けられていることを特徴とする前記網フィルターセルフクリーニング装置を設けていることを特徴とするエアコン。
【発明の詳細な説明】
【技術分野】
【０００１】
本発明はエアコン設備に関し、特に、集塵が便利で、効果が優れた、雑音が小さなエアコン網フィルターセルフクリーニング装置に関する。
【背景技術】
【０００２】
室内のエアコンの多くは熱交換器で室内の温度をコントロールして調節するが、通常、よく熱交換器に埃を止める埃濾過装置、即ち空気網フィルターを付けている。従来、室内のエアコンはしばらくの時間に作動した後に、空気網フィルターに埃が溜まっているが、この時に手動で前記空気網フィルターに付着した埃を掃除する必要がある。このような埃掃除方式がとても面倒なので、自動的に前記空気網フィルターを掃除する装置が出た。このような装置は人的な関与を必要としなくて、自動的に空気網フィルターに付着した埃を落とすことができる。このような装置はエアコンの使用者にとても便宜を図ったのである。
特許文献１において、自動的に空気フィルタを掃除する機能を持つ室内ユニットのエアコンを開示したが、それを備えた室内ユニットは構成が簡単で、確実に埃吸着部を駆動することができる信頼度の高い駆動機構を持っている。エアコンの室内ユニットでは、熱交換器の上流側に設けられている空気フィルタと、空気フィルタに対置した吸着口を持って、空気フィルタに付着した埃を吸着するスライド自在の吸着ノズルと、駆動機構を介して吸着ノズルを駆動する駆動源と、吸着ノズルと接続して空気と一緒に埃を吸着排出する排気装置と、排気装置と吸着ノズルを接続する接続装置とを設けている。また、駆動源に接続する駆動軸と、スライド自在に駆動軸に設けられて、吸着ノズルと一緒に移動するウォームギヤと、ウォームギヤとかみ合ったラックとで駆動機構を構成している。前記発明に開示されたこのような空気網フィルターセルフクリーニング装置は構造がわりに信頼できて、その上一定の程度でエアコン網フィルターに付着した埃を掃除することができるが、その集塵程度が徹底的ではなくて、同時に毎回該装置を起動する時に、自動的に埃を掃除するのにかかった時間が長すぎて、掃除効果が好ましくなく、しかも前記構造が複雑で、着脱が不便で、雑音が極めて大きい。
前記空気網フィルターセルフクリーニング装置の欠点に対して、本発明はわりに短い時間内に集塵効果が良くて、雑音が小さいことを実現することができるエアコン網フィルターセルフクリーニング装置を設計して、しかもこの装置の構造が信頼できて、丈夫である。
【先行技術文献】
【特許文献】
【０００３】
【特許文献１】中国特許第２００５１０１２０２６５．６号
【発明の概要】
【課題を解決するための手段】
【０００４】
本発明で解決しようとする課題は現在の技術の不足を克服して、雑音が小さく、集塵効果が良く、構造が堅固な網フィルターセルフクリーニング装置を提供する。
本発明のもう一つの目的は前記装置網フィルターセルフクリーニング装置を利用するエアコン、特にスライドパネルを持つエアコンを提供するのである。
前記課題を解決するために、本発明で採用した手段の基本的な構想は、壁掛け式のエアコンに設けられ、熱交換器の外側に設けられ、上網フィルターと前網フィルターを含んで、熱交換器を通した空気の中の埃を吸着することに用いられるエアコンの網フィルターと、エアコンの網フィルターの外側に設けられて、それに解体可能のブラシを設けて、エアコンの網フィルターに付着した埃を掃除することに用いられる埃掃除ユニットと、駆動モーターと伝動機構を含んで、埃掃除ユニットを駆動して網フィルターで左右に移動して埃を掃除することに用いられる駆動装置と、埃を置く箱で、分解可能にエアコンに設けられて、箱内の埃を掃除する集塵箱と、エアコン網フィルターの左側や右側に設けられて、埃掃除ユニットで落とした埃を集塵箱に入れる埃交換装置とを含む網フィルターセルフクリーニング装置とする。
前記網フィルターセルフクリーニング装置を設けたエアコンは熱交換器の外側に設けられたエアコン網フィルターと、網フィルターの左下や右下に設けられた集塵箱と、網フィルターと集塵箱の外側に設けられたパネルを含んで、前記パネルが上部の固定パネルと下部に固定されて、右左に移動して、集塵箱を開けるのに便宜を図るスライドパネルに分けられている。
前記埃掃除ユニットは「Ｌ」形の本体とスライド位置付け装置を含んで、本体が一体の上本体と前本体で構成されて、上本体と前本体がそれぞれ上網フィルターと前網フィルターの外側に設けられて、スライド位置付け装置が本体の両端部に設けられて、それぞれ上網フィルターと前網フィルターの下側のスライドウェイ内に設けられて、スライド位置付け装置がスライドウェイに沿ってスライドするシーブと本体の脱落を防止する位置付けブロックを含む。
前記上本体と前本体にはそれぞれ室を設けて、ブラシは本体の外側から室に挿し込んで、本体の内側で網フィルターに貼り付けて、本体の対応の室にはブラシの脱落を防止する蓋を設け、その片側が本体の枢と接続して、ねじやバックルで固定されている。
前記駆動モーターはステップモーターで、上網フィルターと前網フィルターの接続場所の左端又は右端に設けられて、伝動機構は駆動モーターと接続している駆動軸、スライド自在に駆動軸に設けられて、駆動軸と一緒に回転するウォームギヤ、前記ウォーム・ギヤにかみ合ったラックで構成されている。
前記駆動軸は多角柱体の構造で、ラックと平行する同時に上網フィルターと前網フィルターの接続場所に位置して、ラックが上網フィルターと前網フィルターの間に位置して、駆動軸がラックの上に位置して、ウォーム・ギヤ枢が「Ｌ」形の本体の曲がった内側に設けられて、ラックおよび／あるいは駆動軸の両端にスクロールスイッチを設けている。
前記伝動機構は駆動モーターと接続して、雄ねじを形成した駆動軸と本体に設けられて雄ねじと螺合する雌ねじで構成されて、本体がスライド可能に駆動軸と平行するボルトに設けられている。
前記埃交換装置は長方形の枠体で、枠体には網フィルター側の縁枢に平行して埃を吸着する毛ローラーを設けて、毛ローラーは円柱体、半円柱体又は楕円柱体の構造で、リセット機構を設けて、スプリングやエキスパンダーでもよいが、埃交換装置はそれぞれ上網フィルターと前網フィルターの左側や右側の開口溝に設けられて、開口溝の底部が下に傾いた埃通路で、前網フィルター側の開口溝の下に集塵箱を設けて、内部が開口溝の底部と通じて、集塵箱は開口を持つ箱構造で、挿し抜き可能に集塵箱の溝に設けられて、開口が開口溝の底部に通じている。
前記毛ローラーの両端の枢にシフトブロックを設けて、シフトブロックが網フィルターの逆方向に自由に回転して、網フィルターの方向に毛ローラーを一緒に回転するように動かして、また、シフトブロックにリセット機構を設けて、リセット状態は対外方向が枠体の開口と同じとする。
前記埃交換装置の枠体内には、毛ローラーの網フィルターに近づいた側に毛ローラーの枢に平行して奥に延伸する当て板を設けて、当て板もリセット機構を設けて、それの毛ローラーに隣接する面にフェルトを設けて、第二回の埃の交換を実現する。毛ローラーの別の側にはその接線に沿って斜めに外に柔らかい当て板を設けて、方向が網フィルターに離れている。
前記埃交換動作として、埃掃除ユニットのブラシは網フィルターに付着した埃を落として、掃除ユニットが埃交換装置に移動して、埃交換装置を経る時、シフトブロックが掃除ユニットに押されて枠体に入って、埃が順次に毛ローラーと柔らかい当て板に吸着されて止められて、埃交換装置を経た後に、シフトブロックがリセットして、掃除ユニットが逆方向に埃交換装置を経る時に、埃交換装置の左右端の左右のシフトブロックの回転を動かして、毛ローラーが回転するように動かして、毛ローラーに止められた埃を埃通路に入れて、更に埃通路を介して、集塵箱に入る。掃除ユニットが埃交換装置を経た後に、毛ローラーはスプリングやエキスパンダーで回転してリセットして、毛ローラーに残った埃が再度掃除されて、毛ローラーと柔らかい当て板がリセットして枠体の開口を密封して、開口溝内の埃が出ることを防止する。
前記手段を採用すると、本発明が現在の技術と比べて、下記の有利な効果を持っている。
前記機械機構と手段を採用することで、本発明のエアコン網フィルターセルフクリーニング装置はわりに短い時間に網フィルターに付着した埃を掃除することができて、掃除効果が良くて、雑音が小さくて、しかも当構造が簡単で、信頼的で丈夫である。
次に図面に基づいて本発明の具体的な実施例を更に詳しく説明する。
【図面の簡単な説明】
【０００５】
【図１】本発明におけるエアコン網フィルターセルフクリーニング装置の構造説明図である。
【図２】本発明における埃交換装置と集塵箱を設けた位置の局部説明図である。
【図３】本発明における集塵箱の構造説明図である。
【図４】本発明における埃交換装置の構造説明図である。
【図５】図４の別の方向の説明図である。
【図６】本発明における埃掃除ユニットの構造説明図である。
【図７】本発明における埃収集の説明図である。
【図８】本発明におけるエアコンパネルの説明図である。
【発明を実施するための形態】
【０００６】
図１のように、本発明におけるフィルターセルフクリーニング装置は壁掛け式のエアコンに設けられて、熱交換器の外側に設けられて、上網フィルター１１と前網フィルター１２を含んで、熱交換器を通した空気の中の埃を吸着することに用いられるエアコンの網フィルター１と、エアコンの網フィルター１の外側に設けられて、それに解体可能のブラシ２０（図６を参照）を設けて、エアコンの網フィルターに付着した埃を掃除することに用いられる埃掃除ユニット２と、駆動モーター３１と伝動機構を含んで、埃掃除ユニット２を駆動して網フィルター１で左右に移動して埃を掃除することに用いられる駆動装置３と、埃を置く箱で、分解可能にエアコンに設けられて、箱内の埃を掃除する集塵箱４と、エアコン網フィルター１の左側や右側に設けられて、埃掃除ユニット２で落とした埃を集塵箱４に入れる埃交換装置５とを含む。
本実施例の中で、前記埃交換装置５と集塵箱４が網フィルター１の左側に設けられて、埃交換装置５は２組に分けられて、それぞれ上網フィルター１１と前網フィルター１２の左側に設けられて、集塵箱４が前網フィルターの左側の埃交換装置５の下に位置して、駆動モーター３lが網フィルター１の右側に位置している。
図６のように、前記埃掃除ユニット２は「Ｌ」形の本体２１とスライド位置付け装置を含んで、本体２１が一体の上本体２１１と前本体２１２で構成されて、上本体２１１と前本体２１２がそれぞれ上網フィルター１１と前網フィルター１２の外側に設けられて、本体２lは全体的に網フィルター１に係り止めて、本体の両端部に設けられたスライド位置付け装置でそれぞれ上網フィルター１１の上側と前網フィルター１２の下側のスライドウェイに設けられて、スライド位置付け装置はスライドウェイに沿って移動可能のシーブ２２と本体の脱落を防止する位置付けブロック２３を含んで、この構造は掃除ユニットの移動時の振動を減らすことによって雑音を低減する。
その中に、上本体２１１と前本体２１２にはそれぞれその長さの方向に室を設けて、ブラシ２０は本体の外側から室に挿し込んで、本体の内側で網フィルターと貼り付けて更に良い集塵効果を達成する。本体２１の対応室にブラシ２０の脱落を防ぐ蓋２４を設けて、前本体２１２に対応する蓋２４の上側が本体２１の枢に接続して、上本体２１１に対応する蓋２４の下側が本体２lの枢に接続して、二つの蓋は「Ｌ」形の本体の曲がった部にひっくり返って、ねじやバックルで本体２１に固定されている。バックル機構（図示せず）は本体に非円形の回転ボタンを設けて、普通に長方形や楕円形とするが、蓋の回転ボタンの対応位置にその形状に合った孔を設けて、蓋を開けて、回転ボタンを孔に通して回転して、その孔の位置をずらしてから、蓋を固定することができる。前記装置はブラシの消耗後の交換に便利である。
図２のように、前記駆動モーター３１はステップモーターで、上網フィルター１１と前網フィルター１２の接続部の右端に設けられて、モーターケース３１１の内に固定されて、伝動機構は駆動モーター３lと接続する駆動軸３２、スライド自在に駆動軸３２に設けられて、しかも駆動軸３２１と一緒に回転するウォーム・ギヤ３３、前記ウォーム・ギヤ３３とかみ合ったラック３４で構成されて、その中に、前記駆動軸３２は多角柱体の構造とするが、ラック３４と平行する同時に上網フィルター１１と前網フィルター１２の接続部に位置して、ラック３４が平滑に上網フィルター１１と前網フィルター１２の間に位置して、駆動軸３２がラック３４の上方に位置して、ウォーム・ギヤ３３の枢が「Ｌ」形の本体２lの曲がった内側(図６を参照)に設けられて、ラック３４および／あるいは駆動軸３２２の両端にストロークスイッチ(図示せず)に設けられて、ストロークスイッチが掃除ユニットを所定の位置に到着させた後に、ステップモーターは逆の方向に回転する。前記構造と本体の両端部のスライド位置付け装置の共通の作用で、駆動時に雑音を更に低減する。
また、本発明に述べられた伝動機構は駆動モーターと接続して、雄ねじを形成した駆動軸と本体に設けられて雄ねじと螺合する雌ねじで構成されることができるが、本体がスライド可能に駆動軸と平行するボルトに設けられている。この構造は前記伝動構造の原理と同じである（図示せず）。
図４と図５のように、前記埃交換装置５は長方形の枠体で、枠体には網フィルター１側の縁枢に平行して埃を吸着する毛ローラー５１を設けて、毛ローラー５１は円柱体、半円柱体又は楕円柱体の構造で、リセット機構５１１を設けて、スプリングやエキスパンダーでもよいが、埃交換装置５はそれぞれ上網フィルター１１と前網フィルター１２の左側や右側の開口溝６に設けられて、開口溝６の底部が下に傾いた埃通路７で、前網フィルター側１２の開口溝６の下に集塵箱８を設けて、内部が開口溝６の底部と通じて、集塵箱４は開口４１を持つ箱構造で、挿し抜き可能に集塵箱溝８に設けられて、開口４１が埃の通路７に通じている。この埃交換装置５と集塵箱４はそれぞれ独立な構造で、埃交換装置と集塵箱を開口溝と内部集塵箱の溝に固定するために、埃交換装置と集塵箱の底部の側部に弾力的な突起５０(図４を参照)を設けて、それを固定する。
前記毛ローラー５１の両端の枢にシフトブロック５２を設けて、シフトブロック５２が網フィルターの逆方向に自由に回転して、網フィルターの方向に毛ローラー５１を一緒に回転するように動かして、また、シフトブロック５２にリセット機構５２１を設けて、リセット状態は対外方向が枠体の開口と同じとするが、どの方向に回転しても、シフトブロックをリセットする。
前記埃交換装置５の枠体内には、毛ローラー５１の網フィルター１に近づいた側に毛ローラー５１の枢に平行して奥に延伸する当て板５３を設けて、当て板５３もリセット機構５３１を設けて、それの毛ローラー５１に隣接する面にフェルトを設けて、第二回の埃の交換を実現する。毛ローラー５１の別の側にはその接線に沿って斜めに外に柔らかい当て板５４を設けて、方向が網フィルター１に離れている。
本発明に述べられた埃掃除動作として、埃掃除ユニット２のブラシは網フィルターに付着した埃を落として、掃除ユニット２が埃交換装置５に移動して、埃交換装置５を経る時、シフトブロック５２が掃除ユニット２に押されて枠体に入って、埃が順次に毛ローラー５１と柔らかい当て板５４に吸着されて止められて、埃交換装置５を経た後に、シフトブロック５２がリセットして（図７を参照）、掃除ユニット２が逆方向に埃交換装置５を経る時に、埃交換装置５の左右端の左右のシフトブロック５２の回転を動かして、毛ローラー５１が回転するように動かして、毛ローラー５１に止められた埃を埃通路７に入れて、更に埃通路７を介して、集塵箱４に入る。掃除ユニット２が埃交換装置５を経た後に、毛ローラー５１はスプリングやエキスパンダーで回転してリセットして、毛ローラー５１に残った埃が再度当て板５３に掃除されて、毛ローラー５１と柔らかい当て板５４がリセットして枠体の開口を密封して、開口溝内の埃が出ることを防止する。
毎回の清掃後の埃は集塵箱に貯蔵されて、２―３年ごとに整理することができるが、具体的な作業環境によって決める。集塵箱の整理に便宜を図るために、本発明はエアコンのパネルを改善したが、現在の技術によるパネルが全体的なもので、集塵箱を整理すると、パネルを開けなければならなくて、使用時に不便である。本発明はパネルを上下の二部分に分けて、上部分のパネル９がエアコンとの接続関係を変えなくて、下部分のパネル１０が左右に移動可能のスライドパネル１０で、スライドパネル１０は集塵箱４の外側を覆って、整理時に、パネル１０を右へ一つの集塵箱の位置にスライドすると(図８を参照)、それを取り出して整理することができて、整理後にパネルをリセットしてよい。使用が非常に便利である。
本発明のエアコン網フィルターセルフクリーニング装置はわりに短い時間に網フィルターに付着した埃を掃除することができて、掃除効果が良くて、雑音が小さくて、しかも当構造が簡単で、信頼的で丈夫である。
【図１】
2010525286.tif 000003
【図２】
2010525286.tif 000004
【図３】
2010525286.tif 000005
【図４】
2010525286.tif 000006
【図５】
2010525286.tif 000007
【図６】
2010525286.tif 000008
【図７】
2010525286.tif 000009
【図８】
2010525286.tif 000010
【国際調査報告】
2010525286.tif 000011
2010525286.tif 000012
2010525286.tif 000013
2010525286.tif 000014
2010525286.tif 000015
2010525286.tif 000016
2010525286.tif 000017